【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）が、第１の無線アクセス技術（ＲＡＴ）を介して第１の発展型パケットデータゲートウェイ（ｅＰＤＧ）に接続することと、
前記ＵＥが、前記第１のｅＰＤＧに関連付けられたｅＰＤＧ再選択メトリックを評価することと、
前記ＵＥが、前記ｅＰＤＧ再選択メトリックが１つまたは複数の選択条件を満たすことに少なくとも部分的に基づいて第２のｅＰＤＧを再選択することと
を備える、方法。
【請求項２】
パケットデータネットワーク（ＰＤＮ）ゲートウェイに関連付けられた接続失敗ステータスを識別することと、
第１の公衆陸上モバイルネットワーク（ＰＬＭＮ）に関連付けられたｅＰＤＧの少なくとも一部分がブロックされている、またはブロックされていない前記第１のＰＬＭＮのｅＰＤＧへの接続試行が失敗した、あるいは両方の組み合わせである、と決定することと、ここにおいて、前記第２のｅＰＤＧは、第２のＰＬＭＮに関連付けられる、
をさらに備える、請求項１に記載の方法。
【請求項３】
第１の公衆陸上モバイルネットワーク（ＰＬＭＮ）に関連付けられたｅＰＤＧの前記少なくとも一部分がブロックされていない状態になると決定することと、
前記ｅＰＤＧの前記一部分がブロックされていないことに少なくとも部分的に基づいて前記ｅＰＤＧ再選択メトリックを評価することと
をさらに備える、請求項２に記載の方法。
【請求項４】
前記ｅＰＤＧ再選択評価に関連付けられた少なくとも１つの条件パラメータを識別することと、
前記少なくとも１つの条件パラメータが満たされていないと決定することと
をさらに備える、請求項１に記載の方法。
【請求項５】
前記少なくとも１つの条件パラメータが満たされていない間に前記ｅＰＤＧ再選択メトリックを評価することを控えること
をさらに備える、請求項４に記載の方法。
【請求項６】
前記少なくとも１つの条件パラメータは、セルラＲＡＴの公衆陸上モバイルネットワーク（ＰＬＭＮ）の変更、または前記第１のｅＰＤＧを介したパケットデータネットワーク（ＰＤＮ）接続ステータス失敗、あるいはそれらの組み合わせを備える、
請求項４に記載の方法。
【請求項７】
前記少なくとも１つの条件パラメータが満たされていると決定することと、
前記ＵＥの非アクティブ動作ステータスを識別することと、
前記ｅＰＤＧ再選択メトリックにおける変更を識別することと、
前記ＵＥにおいて構成されたｅＰＤＧ完全修飾ドメイン名（ＦＱＤＮ）または前記変更されたｅＰＤＧ再選択メトリックのうちの少なくとも１つに基づいてドメイン名システム（ＤＮＳ）クエリを遂行することと、ここにおいて、前記第２のｅＰＤＧを再選択することは、前記第１のｅＰＤＧに関連付けられた識別子が前記ＤＮＳクエリの結果にないことにさらに基づく、
をさらに備える、請求項４に記載の方法。
【請求項８】
前記第１のｅＰＤＧを介したパケットデータネットワーク（ＰＤＮ）への接続を解放すること、前記解放することは、前記ＰＤＮが非ローミングアクセスリストに関連付けられていることに少なくとも部分的に基づく、
をさらに備える、請求項１に記載の方法。
【請求項９】
前記第１のｅＰＤＧは、第１の公衆陸上モバイルネットワーク（ＰＬＭＮ）に関連付けられ、前記第２のｅＰＤＧは、第２のＰＬＭＮに関連付けられる、
請求項８に記載の方法。
【請求項１０】
前記ＵＥのアクティブ動作ステータスを識別すること
をさらに備える、請求項１に記載の方法。
【請求項１１】
前記アクティブ動作ステータスは、ＵＥ通信に関連付けられた、制限されたサービスに関連付けられる、または、前記ＵＥ上で動作するアプリケーションに関連付けられる、
請求項１０に記載の方法。
【請求項１２】
前記ＰＤＧ再選択メトリックは、前記ＵＥによって検出される現在の公衆陸上モバイルネットワーク（ＰＬＭＮ）、または前記ＵＥの現在の地理的ロケーション、あるいは前記ＵＥによって検出される現在のセルアイデンティティ、もしくはそれらの組み合わせのうちの少なくとも１つに関連付けられる、
請求項１に記載の方法。
【請求項１３】
周期的スケジュールにしたがってまたはトリガリングイベントに少なくとも部分的に基づいて前記ｅＰＤＧ再選択メトリックを評価すること
をさらに備える、請求項１に記載の方法。
【請求項１４】
ワイヤレス通信のための装置であって、システム中に、
プロセッサと、
前記プロセッサと電子通信中のメモリと、
前記メモリ中に記憶され、前記プロセッサによって実行されたとき、前記装置に、請求項１〜請求項１３のうちのいずれかの方法を実行させるように動作可能な命令と
を備える、装置。
【請求項１５】
コンピューティングデバイスによって実行されたとき、請求項１〜請求項１３のうちのいずれかの方法を実行するための命令を備える、コンピュータプログラム。
【手続補正２】
【補正対象書類名】明細書
【補正対象項目名】０１２２
【補正方法】変更
【補正の内容】
【０１２２】
[0128]同様に、図面中には複数の動作が特定の順序で図示されているが、このことによって、望ましい結果を達成するために、そのような動作が示されている特定の順序でまたは順次的な順序で遂行される必要がある、あるいは全ての例示された動作が遂行される必要がある、と理解されるべきではない。さらに、図面は、フロー図の形式でもう１つの実例的なプロセスを概略的に図示しうる。しかしながら、図示されていない他の動作は、概略的に例示されている実例的なプロセス中に組み込まれることができる。例えば、１つまたは複数の追加の動作は、例示されている動作のいずれかの前に、後で、同時に、または間に遂行されることができる。ある特定の状況では、マルチタスクおよび平行処理が有利でありうる。その上、上述されたインプリメンテーションにおける様々なシステムコンポーネントの分離は、そのような分離が全てのインプリメンテーションにおいて必要であると理解されるべきではなく、説明されたプログラムコンポーネントおよびシステムが概して、単一のソフトウェア製品にともに一体化されるか、または複数のソフトウェア製品へとパッケージ化されることができることは理解されるべきである。加えて、他のインプリメンテーションは、以下の特許請求の範囲内にある。いくつかのケースでは、特許請求の範囲中に記載されるアクションは、異なる順序で遂行されることができ、それでもなお望ましい結果を達成することができる。
以下に本願の出願当初の特許請求の範囲に記載された発明を付記する。
[Ｃ１]  ワイヤレス通信のための方法であって、
ユーザ機器（ＵＥ）が、第１の無線アクセス技術（ＲＡＴ）を介して第１の発展型パケットデータゲートウェイ（ｅＰＤＧ）に接続することと、
前記ＵＥが、前記第１のｅＰＤＧに関連付けられたｅＰＤＧ再選択メトリックを評価することと、
前記ＵＥが、前記ｅＰＤＧ再選択メトリックが１つまたは複数の選択条件を満たすことに少なくとも部分的に基づいて第２のｅＰＤＧを再選択することと
を備える、方法。
[Ｃ２]  パケットデータネットワーク（ＰＤＮ）ゲートウェイに関連付けられた接続失敗ステータスを識別することと、
第１の公衆陸上モバイルネットワーク（ＰＬＭＮ）に関連付けられたｅＰＤＧの少なくとも一部分がブロックされている、またはブロックされていない前記第１のＰＬＭＮのｅＰＤＧへの接続試行が失敗した、あるいは両方の組み合わせである、と決定することと、ここにおいて、前記第２のｅＰＤＧは、第２のＰＬＭＮに関連付けられる、
をさらに備える、Ｃ１に記載の方法。
[Ｃ３]  第１の公衆陸上モバイルネットワーク（ＰＬＭＮ）に関連付けられたｅＰＤＧの前記少なくとも一部分がブロックされていない状態になると決定することと、
前記ｅＰＤＧの前記一部分がブロックされていないことに少なくとも部分的に基づいて前記ｅＰＤＧ再選択メトリックを評価することと
をさらに備える、Ｃ１に記載の方法。
[Ｃ４]  前記ｅＰＤＧ再選択評価に関連付けられた少なくとも１つの条件パラメータを識別することと、
前記少なくとも１つの条件パラメータが満たされていないと決定することと
をさらに備える、Ｃ１に記載の方法。
[Ｃ５]  前記少なくとも１つの条件パラメータが満たされていない間に前記ｅＰＤＧ再選択メトリックを評価することを控えること
をさらに備える、Ｃ４に記載の方法。
[Ｃ６]  前記少なくとも１つの条件パラメータは、セルラＲＡＴの公衆陸上モバイルネットワーク（ＰＬＭＮ）の変更、または前記第１のｅＰＤＧを介したパケットデータネットワーク（ＰＤＮ）接続ステータス失敗、あるいはそれらの組み合わせを備える、
Ｃ４に記載の方法。
[Ｃ７]  前記少なくとも１つの条件パラメータが満たされていると決定することと、
前記ＵＥの非アクティブ動作ステータスを識別することと、
前記ｅＰＤＧ再選択メトリックにおける変更を識別することと、
前記ＵＥにおいて構成されたｅＰＤＧ完全修飾ドメイン名（ＦＱＤＮ）または前記変更されたｅＰＤＧ再選択メトリックのうちの少なくとも１つに基づいてドメイン名システム（ＤＮＳ）クエリを遂行することと、ここにおいて、前記第２のｅＰＤＧを再選択することは、前記第１のｅＰＤＧに関連付けられた識別子が前記ＤＮＳクエリの結果にないことにさらに基づく、
をさらに備える、Ｃ４に記載の方法。
[Ｃ８]  前記第１のｅＰＤＧを介したパケットデータネットワーク（ＰＤＮ）への接続を解放すること、前記ＰＤＮに少なくとも部分的に基づいて前記解放することは、非ローミングアクセスリストに関連付けられる、
をさらに備える、Ｃ１に記載の方法。
[Ｃ９]  前記第１のｅＰＤＧは、第１の公衆陸上モバイルネットワーク（ＰＬＭＮ）に関連付けられ、前記第２のｅＰＤＧは、第２のＰＬＭＮに関連付けられる、
Ｃ８に記載の方法。
[Ｃ１０]  前記ＵＥのアクティブ動作ステータスを識別すること
をさらに備える、Ｃ１に記載の方法。
[Ｃ１１]  前記アクティブ動作ステータスは、ＵＥ通信に関連付けられた、制限されたサービスに関連付けられる、
Ｃ１０に記載の方法。
[Ｃ１２]  前記アクティブ動作ステータスは、前記ＵＥ上で動作するアプリケーションに関連付けられる、
Ｃ１０に記載の方法。
[Ｃ１３]  前記ｅＰＤＧ再選択メトリックは、前記ＵＥによって検出される現在の公衆陸上モバイルネットワーク（ＰＬＭＮ）、または前記ＵＥの現在の地理的ロケーション、あるいは前記ＵＥによって検出される現在のセルアイデンティティ、もしくはそれらの組み合わせのうちの少なくとも１つに関連付けられる、
Ｃ１に記載の方法。
[Ｃ１４]  周期的スケジュールにしたがって前記ｅＰＤＧ再選択メトリックを評価すること
をさらに備える、Ｃ１に記載の方法。
[Ｃ１５]  トリガリングイベントに少なくとも部分的に基づいて前記ｅＰＤＧ再選択メトリックを評価すること
をさらに備える、Ｃ１に記載の方法。
[Ｃ１６]  ワイヤレス通信のための装置であって、システム中に、
プロセッサと、
前記プロセッサと電子通信中のメモリと、
前記メモリ中に記憶され、前記プロセッサによって実行されたとき、前記装置に、
ユーザ機器（ＵＥ）が、第１の無線アクセス技術（ＲＡＴ）を介して第１の発展型パケットデータゲートウェイ（ｅＰＤＧ）に接続することと、
前記ＵＥが、前記第１のｅＰＤＧに関連付けられたｅＰＤＧ再選択メトリックを評価することと、
前記ＵＥが、前記ｅＰＤＧ再選択メトリックが１つまたは複数の選択条件を満たすことに少なくとも部分的に基づいて第２のｅＰＤＧを再選択することと
を行わせるように動作可能な命令と
を備える、装置。
[Ｃ１７]  前記命令は、
パケットデータネットワーク（ＰＤＮ）ゲートウェイに関連付けられた接続失敗ステータスを識別することと、
第１の公衆陸上モバイルネットワーク（ＰＬＭＮ）に関連付けられたｅＰＤＧの少なくとも一部分がブロックされている、またはブロックされていない前記第１のＰＬＭＮのｅＰＤＧへの接続試行が失敗した、あるいは両方の組み合わせである、と決定することと、ここにおいて、前記第２のｅＰＤＧは、第２のＰＬＭＮに関連付けられる、
を行うように前記プロセッサによってさらに実行可能である、Ｃ１６に記載の装置。
[Ｃ１８]  前記命令は、
第１の公衆陸上モバイルネットワーク（ＰＬＭＮ）に関連付けられたｅＰＤＧの前記少なくとも一部分がブロックされていない状態になると決定することと、
前記ｅＰＤＧの前記一部分がブロックされていないことに少なくとも部分的に基づいて前記ｅＰＤＧ再選択メトリックを評価することと
を行うように前記プロセッサによってさらに実行可能である、Ｃ１６に記載の装置。
[Ｃ１９]  前記命令は、
前記ｅＰＤＧ再選択評価に関連付けられた少なくとも１つの条件パラメータを識別することと、
前記少なくとも１つの条件パラメータが満たされていないと決定することと
を行うように前記プロセッサによってさらに実行可能である、Ｃ１６に記載の装置。
[Ｃ２０]  前記命令は、
前記少なくとも１つの条件パラメータが満たされていない間に前記ｅＰＤＧ再選択メトリックを評価することを控えること
を行うように前記プロセッサによってさらに実行可能である、Ｃ１６に記載の装置。
[Ｃ２１]  ワイヤレス通信のためのコードを記憶する非一時的コンピュータ可読媒体であって、前記コードは、
ユーザ機器（ＵＥ）が、第１の無線アクセス技術（ＲＡＴ）を介して第１の発展型パケットデータゲートウェイ（ｅＰＤＧ）に接続することと、
前記ＵＥが、前記第１のｅＰＤＧに関連付けられたｅＰＤＧ再選択メトリックを評価することと、
前記ＵＥが、前記ｅＰＤＧ再選択メトリックが１つまたは複数の選択条件を満たすことに少なくとも部分的に基づいて第２のｅＰＤＧを再選択することと
を行うようにプロセッサによって実行可能な命令を備える、非一時的コンピュータ可読媒体。
[Ｃ２２]  前記命令は、
パケットデータネットワーク（ＰＤＮ）ゲートウェイに関連付けられた接続失敗ステータスを識別することと、
第１の公衆陸上モバイルネットワーク（ＰＬＭＮ）に関連付けられたｅＰＤＧの少なくとも一部分がブロックされている、またはブロックされていない前記第１のＰＬＭＮのｅＰＤＧへの接続試行が失敗した、あるいは両方の組み合わせである、と決定することと、ここにおいて、前記第２のｅＰＤＧは、第２のＰＬＭＮに関連付けられる、
を行うように前記プロセッサによってさらに実行可能である、Ｃ２１に記載の非一時的コンピュータ可読媒体。